(57)【要約】【課題】  だれでも容易に装着することができ、ボルダリング中に足ブレを起こさないようにするための緊締具とその使用法を提供する【解決手段】  ボルダリングシューズ用の緊締具は、ブリッジ部分２，２Ａと、このブリッジ部分２，２Ａから左右に対称的に延びる、左翼３，３Ａと右翼４，４Ａを有する。前記左翼３，３Ａと前記右翼４，４Ａは、使用時にはＸ字状に交差可能であるとともに、各先端に相互に接続可能な連結部３１，３１Ａ；４１，４１Ａを有する。【選択図】図２
2018042909.tif 000002
【特許請求の範囲】
【請求項１】
ボルダリングシューズ用の緊締具であって、
ブリッジ部分（２，２Ａ）と、
このブリッジ部分（２，２Ａ）から左右に対称的に延びる、左翼（３，３Ａ）と右翼（４，４Ａ）を有し、
前記左翼（３，３Ａ）と前記右翼（４，４Ａ）は、使用時にはＸ字状に交差可能であるとともに、各先端に相互に接続可能な連結部（３１，３１Ａ；４１，４１Ａ）を有する
ことを特徴とするボルダリングシューズ用の緊締具。
【請求項２】
前記ブリッジ部分の左右後方側には１本ずつ突起（２３）が設けられている請求項１記載のボルダリングシューズ用の緊締具。
【請求項３】
前記ブリッジ部分（２，２Ａ）の長手方向長さが、約５ｃｍ〜７ｃｍであり、縦方向幅が２ｃｍ〜５ｃｍである請求項１又は２記載のボルダリングシューズ用の緊締具。
【請求項４】
前記左翼（３）と前記右翼（４）がそれぞれ中央部で太幅となっており、最大部分の幅は７ｃｍ〜１３ｃｍである請求項１〜３のいずれかに記載のボルダリングシューズ用の緊締具。
【請求項５】
ボルダリングシューズ用の緊締具であって、
貫通孔（２１）を有するブリッジ部分（２Ａ）と、
このブリッジ部分（２Ａ）から左右に対称的に延びる、左翼（３Ａ）と右翼（４Ａ）を有し、
前記左翼（３Ａ）と前記右翼（４Ａ）は、使用時にはＸ字状に交差可能であるとともに、前記左翼（３Ａ）と前記右翼（４Ａ）は、各先端に相互に接続可能な連結部（３１Ａ，４１Ａ）を有する
ことを特徴とするボルダリングシューズ用の緊締具
【請求項６】
ボルダリングシューズ用の緊締具をボルダリングシューズに取り付ける方法であって、
ブリッジ部分（２，２Ａ）と、このブリッジ部分（２，２Ａ）から左右に対称的に延びる、左翼（３，３Ａ）と右翼（４，４Ａ）と、前記左翼（３，３Ａ）と前記右翼（４，４Ａ）の各先端に設けた連結部（３１，３１Ａ；４１，４１Ａ）を有する緊締具（１，１Ａ）を用意する工程と、
前記ブリッジ部分（２，２Ａ）をシューズ（５）に引っ掛ける工程と、前記左翼（３，３Ａ）と前記右翼（４，４Ａ）をＸ字状に交差させながら各先端をシューズ（５）のかかと部分（５２）に持っていく工程と、
かかと後部において、左翼（３，３Ａ）と右翼（４，４Ａ）の連結部（３１，３１Ａ；４１，４１Ａ）で相互に連結させる工程
を有することを特徴とする方法。
【請求項７】
ボルダリングシューズ用の緊締具をボルダリングシューズに取り付ける方法であって、
貫通孔（２１）を有するブリッジ部分（２）と、このブリッジ部分（２Ａ）から左右に対称的に延びる、左翼（３Ａ）と右翼（４Ａ）と、前記左翼（３Ａ）と前記右翼（４Ａ）の各先端に設けた連結部（３１Ａ，４１Ａ）を有する緊締具（１Ａ）を用意する工程と、
前記貫通孔（２１を少し持ち上げて、シューズ（５のつま先（５１に引っ掛ける工程と、
前記左翼（３Ａ）と前記右翼（４Ａ）をＸ字状に交差させながら各先端をシューズ（５）のかかと部分（５２）に持っていく工程と、
かかと後部において、前記左翼（３Ａ）と前記右翼（４Ａ）の前記連結部（３１Ａ，４１Ａ）で相互に連結させる工程
を有することを特徴とする方法。
【発明の詳細な説明】
【技術分野】
【０００１】
本発明はボルダリングシューズ緊締具及びその取付方法に関する。ボルダリングは、ロープなどの用具を使わずに、３〜４メートル程度の、岩や突起の付いた人工壁をよじ登るスポーツである。
【背景技術】
【０００２】
ボルダリングは、特別な筋力や体力も不要で、シューズとチョーク（滑り止め用の粉）、チョークを入れるバッグという最低限の道具のみで、年齢性別を問わず初心者でも気軽に楽しめることから、近年人気が高まっている。
【０００３】
ボルダリングでは、岩や突起につま先を乗せ、全体重をかけるので、負荷が集中する。そのため、靴ひもや面ファスナで固定している開口部が、わずかずつではあるが自然に開いていくので、使用中に足ブレを起こしやすくなる。それを避けようとして靴ひもで過剰に締め付けると、足が腫れてシューズの脱着が困難となることがある。
【０００４】
本発明者の知る限り、従来、これに対する有効な対策はないようである。下記国際特許公報はクッション兼滑り止めに関する発明を開示している。本発明に形状的にやや近いところがあるので引用したが、ボルダリングにはとても使用できないものである。
【先行技術文献】
【特許文献】
【０００５】
【特許文献１】ＷＯ２００５/０８４４７５Ａ１
【発明の概要】
【発明が解決しようとする課題】
【０００６】
本発明は、だれでも容易に装着することができ、ボルダリング中に足ブレを起こさないようにするための緊締具とその使用法を提供することを目的とする。
【課題を解決するための手段】
【０００７】
本発明は、ボルダリングシューズ用の緊締具であって、ブリッジ部分２，２Ａと、このブリッジ部分２，２Ａから左右に対称的に延びる、左翼３，３Ａと右翼４，４Ａを有し、前記左翼３，３Ａと前記右翼４，４Ａは、使用時にはＸ字状に交差可能であるとともに、各先端３０，４０に相互に接続可能な連結部３１，３１Ａ；４１，４１Ａを有することを特徴とする（請求項１）。
【０００８】
好ましくは、前記ブリッジ部分の左右後方側には１本ずつ突起２３が設けられている（請求項２）。
【０００９】
好ましくは、前記ブリッジ部分２の長手方向長さは、約５ｃｍ〜７ｃｍであり、縦方向幅は２ｃｍ〜５ｃｍである（請求項３）。
【００１０】
好ましくは、前記左翼３と前記右翼４はそれぞれ中央部で太幅となっており、最大部分の幅は７ｃｍ〜１３ｃｍである（請求項４）。
【００１１】
別の観点では、本発明は、ボルダリングシューズ用の緊締具であって、貫通孔２１を有するブリッジ部分２Ａと、このブリッジ部分２Ａから左右に対称的に延びる、左翼３Ａと右翼４Ａを有し、前記左翼３Ａと前記右翼４Ａは、使用時にはＸ字状に交差可能であるとともに、前記左翼３Ａと前記右翼４Ａは、各先端に相互に接続可能な連結部３１Ａ，４１Ａを有することを特徴とする（請求項５）。
【００１２】
また本発明は、ボルダリングシューズ用の緊締具をボルダリングシューズに取り付ける方法であって、ブリッジ部分２，２Ａと、このブリッジ部分２，２Ａから左右に対称的に延びる、左翼３，３Ａと右翼４，４Ａと、前記左翼３，３Ａと前記右翼４，４Ａの各先端３０，４０；３０Ａ，４０Ａに設けた連結部３１，３１Ａ；４１，４１Ａを有する緊締具１，１Ａを用意する工程と、前記ブリッジ部分２，２Ａをシューズ５に引っ掛ける工程と、前記左翼３，３Ａと前記右翼４，４ＡをＸ字状に交差させながら各先端をシューズ５のかかと部分５２に持っていく工程と、かかと後部において、左翼３，３Ａと右翼４，４Ａの連結部３１，３１Ａ；４１，４１Ａで相互に連結させる工程を有することを特徴とする（請求項６）。
【００１３】
別の観点では、本発明は、ボルダリングシューズ用の緊締具をボルダリングシューズに取り付ける方法であって、貫通孔２１を有するブリッジ部分２と、このブリッジ部分２Ａから左右に対称的に延びる、左翼３Ａと右翼４Ａと、前記左翼３Ａと前記右翼４Ａの各先端に設けた連結部３１Ａ，４１Ａを有する緊締具１Ａを用意する工程と、前記貫通孔２１を少し持ち上げて、シューズ５のつま先５１に引っ掛ける工程と、前記左翼３Ａと前記右翼４ＡをＸ字状に交差させながら各先端をシューズ５のかかと部分５２に持っていく工程と、かかと後部において、前記左翼３Ａと前記右翼４Ａの前記連結部３１Ａ，４１Ａで相互に連結させる工程を有することを特徴とする（請求項７）。
【発明の効果】
【００１４】
本発明によれば、ブリッジ部分２，２Ａをシューズ５に引っ掛け、左翼３．３Ａと右翼４，４ＡをＸ字状に交差させながら各先端をシューズ５のかかと部分５２に持っていき、かかと後部において、左翼３，３Ａと右翼４，４Ａの連結部で相互に連結させる。そのため、シューズ全体が安定化し、足ブレを起こすことがない。しかも構造が簡単であり、だれでも簡単に取り付け可能である。
【００１５】
以下、添付の図面に基づき、本発明の実施例を説明する。
【図面の簡単な説明】
【００１６】
【図１】本発明実施例１の緊締具の（ａ）平面図、（ｂ）底面図、（ｃ）側面図である。
【図２】（ａ）〜（ｄ）は、緊締具をシューズに取り付ける各段階を示す斜視図である。
【図３】本発明実施例２の緊締具の（ａ）平面図、（ｂ）底面図、（ｃ）側面図である。
【図４】（ａ）〜（ｄ）は、緊締具をシューズに取り付ける各段階を示す斜視図である。
【発明を実施するための形態】
【実施例１】
【００１７】
図1に示すように、本実施例の緊締具１は、不使用時には平面的な1枚の細長いゴムバンドである。素材は、安全性に優れ、高弾性、高強度を有することが必須である。ゴムバンドの伸び率は長手方向に１２０％〜１５０％を有することが好ましい。さらに、耐熱劣化性、耐候性、低温特性、耐薬品性にも優れていることが好ましい。このような条件をクリアする樹脂として、例えば「セプトン」（（株）クラレの登録商標）と呼ばれるスチレン系の熱可塑性エラストマーを使用することができる。そのほか、ネオプレンゴムも使用可能である。１層だけでなく、何層かの積層構造としてもよい。
【００１８】
この緊締具１は、比較的に細いブリッジ部分２と、その左右に対称的に延びる、鳥の翼のような左翼３と右翼４を有する。
【００１９】
ブリッジ部分２は、図２に示すように、使用時にシューズ５の土踏まず５３に引っ掛ける部分である。ブリッジ部分２の長手方向長さは、市販のシューズ５の土踏まず部分の幅に相当し、約５ｃｍ〜７ｃｍである。ブリッジ部分２の縦方向幅は１．８ｃｍ以上あることが必要であり、好ましくは２ｃｍ〜５ｃｍである。幅が１．８ｃｍよりも狭いと、シューズに密着せずに浮き上がって隙間ができやすくなる。
【００２０】
ブリッジ部分２の左右後方側には１本ずつ角のような突起２３が設けられている。この突起２３はシューズのヒールカップと呼ばれるかかと固定材に沿って位置することになるので、ブレを減少させて、シューズの安定化に寄与する。
【００２１】
緊締具１の左翼３と右翼４は、同方向に湾曲しており、各先端に連結部３１，４１を有する。
【００２２】
左翼３と右翼４はそれぞれ中央部で太幅となっており、最大部分の幅は７ｃｍ〜１３ｃｍである。７ｃｍよりも狭いとシューズを安定的に締め付ける力を十分に発揮できない。軽量化や風通しのために複数の孔（図示せず）を開けてもよい。
【００２３】
連結具としては特に限定されないが、長さ調節が同時にできることが好ましい。図１の例では、右翼４先端付近に４つの突起４１を設けており、左翼３先端には４つの開口３１を設けている。
【００２４】
この緊締具１をシューズ５に取り付けるには、図２（ａ）（ｂ）に示すように、まず、緊締具のブリッジ部分をシューズ５の土踏まず部分５３に引っ掛ける。続いて、左翼３と右翼４をＸ字状に交差させながら各先端をシューズ５のかかと部分５２に持っていく。かかと後部において、突起４１と開口３１のうち、長さ調節したときに適当なもの同士を選択して、開口３１を突起４１に差し込んで連結する。
【実施例２】
【００２５】
図３に示すように、本実施例２の緊締具１Ａも、不使用時には平面的な1枚の細長いゴムバンドである。素材は実施例１と同様である。
【００２６】
この緊締具１Ａは、比較的に大きな貫通孔２１を有するブリッジ部分２Ａと、その左右に対称的に延びる、左翼３Ａと右翼４Ａを有する。
【００２７】
ブリッジ部分の貫通孔２１は、図３に示すように、使用時にシューズ５のつま先５１に引っ掛ける部分である。この部分は負荷がかかりやすいので、特に貫通孔２１Ａの周辺は特に強固にしておく必要がある。図１（ｂ）に示すように、貫通孔２１の周辺の裏側は滑り止め２２を設けておくことが好ましい。
【００２８】
緊締具１Ａの左翼３Ａと右翼４Ａは、同方向に湾曲しており、各先端に連結部３１Ａ，４１Ａを有する。左翼３Ａと右翼４Ａ及び連結部３１Ａ，４１Ａの構造は実施例１とほぼ同様である。
【００２９】
この緊締具１Ａをシューズ５に取り付けるには、図４（ａ）（ｂ）に示すように、まず、貫通孔２１を少し持ち上げて、シューズ５のつま先５１に引っ掛ける。続いて、左翼３Ａと右翼４ＡをＸ字状に交差させながら各先端をシューズ５のかかと部分５２に持っていく。かかと後部において、左翼３Ａと右翼４Ａの連結部３１Ａ，４１Ａで相互に連結させる。連結部３１Ａ，４１Ａは、実施例１とほぼ同様である。
【符号の説明】
【００３０】
１，１Ａ      緊締具
２，２Ａ      ブリッジ部分
２１   貫通孔
２２   滑り止め
２３  突起
３，３Ａ      左翼
３１，３１Ａ  開口
３２，３２Ａ  開口
４，４Ａ      右翼
４１，４１Ａ  突起
５     シューズ
５１   つま先
５２   かかと部分
【図１】
2018042909.tif 000003
【図２】
2018042909.tif 000004
【図３】
2018042909.tif 000005
【図４】
2018042909.tif 000006